(57)【要約】マークアップ画面に埋め込まれたオブジェクト画面の入力アイテムをフォーカシングする方法、その装置及び情報記録媒体を提供する。  本発明によって、マークアップ画面に埋め込まれたオブジェクト画面の少なくとも一つの入力アイテムをフォーカシングする方法において、（ａ）ユーザー入力装置からのフォーカシング移動のためのキー入力に応答して、前記オブジェクト画面のためのオブジェクト解釈エンジンが、フォーカシング移動のためのメッセージを、前記マークアップ画面のためのマークアップ解釈エンジンに伝達するステップ、及び（ｂ）前記マークアップ解釈エンジンが、前記メッセージに応答して既定の順序によって、前記入力アイテムのうちいずれか一つにフォーカシングするステップを含むことを特徴とする。これにより、オブジェクト画面の入力アイテムについても、マークアップ画面の入力アイテムのように、自由にフォーカシングできる。
2006507597.tif 000002
【特許請求の範囲】
【請求項１】
マークアップ画面に埋め込まれたオブジェクト画面の少なくとも一つの入力アイテムをフォーカシングする方法において、
オブジェクトプログラムを解釈して、前記入力アイテムにフォーカシングするための入力アイテムマップ情報を生成するステップと、
ユーザー入力装置からのキー入力に応答して、前記入力アイテムマップ情報を参照して、前記入力アイテムのうちいずれか一つにフォーカシングするステップとを含むことを特徴とする方法。
【請求項２】
前記オブジェクトプログラムは、ＸＭＬ文書及びジャバプログラムのような独立的なプログラム構造を有することを特徴とする請求項１に記載の方法。
【請求項３】
前記オブジェクトプログラム解釈ステップは、
前記オブジェクトプログラムから前記入力アイテムの入力様式情報、位置情報及び識別子情報を得るステップと、
前記入力アイテムの様式情報、入力アイテムの位置情報及び入力アイテムの識別情報に基づいて、前記入力アイテムマップ情報を生成するステップとを含むことを特徴とする請求項１に記載の方法。
【請求項４】
前記フォーカシングステップは、
前記ユーザー入力装置から方向キーが入力されれば、前記入力アイテムの様式情報、入力アイテムの位置情報及び入力アイテムの識別情報に基づいて、現在のフォーカシングされた位置について、前記方向キーが指示する方向に最も近接した入力アイテムにフォーカシングを移動させるステップを含むことを特徴とする請求項３に記載の方法。
【請求項５】
マークアップ画面に埋め込まれたオブジェクト画面の少なくとも一つの入力アイテムをフォーカシングする方法において、
ユーザー入力装置からのフォーカシング移動のためのキー入力に応答して、前記マークアップ画面のためのマークアップ解釈エンジンが、マークアップフォーカシングの移動のためのメッセージを、前記オブジェクト画面のためのオブジェクト解釈エンジンに伝達するステップと、
前記オブジェクト解釈エンジンにより、前記メッセージに応答して既定の順序によって、前記入力アイテムのうちいずれか一つにフォーカシングするステップとを含むことを特徴とする方法。
【請求項６】
マークアップ画面に埋め込まれたオブジェクト画面の少なくとも一つの入力アイテムをフォーカシングする方法において、
ユーザー入力装置からのフォーカシング移動のためのキー入力に応答して、前記オブジェクト画面のためのオブジェクト解釈エンジンが、フォーカシング移動のためのメッセージを、前記マークアップ画面のためのマークアップ解釈エンジンに伝達するステップと、
前記マークアップ解釈エンジンが、前記メッセージに応答して既定の順序によって、前記入力アイテムのうちいずれか一つにフォーカシングするステップとを含むことを特徴とする方法。
【請求項７】
前記メッセージ伝達ステップは、
現在のフォーカシングされた位置情報と、フォーカシング移動のための方向情報とを含む前記メッセージを伝達するステップを含むことを特徴とする請求項５に記載の方法。
【請求項８】
前記フォーカシングステップは、
現在のフォーカシングされた入力アイテムを基準として、前記方向情報に基づいて選択された方向について存在する次の入力アイテムにフォーカシングするステップを含むことを特徴とする請求項７に記載の方法。
【請求項９】
前記フォーカシングステップは、
前記方向情報に基づいて、現在のフォーカシングされた入力アイテムを基準として、各入力アイテムの距離と指示角度とを参照して決定された次の入力アイテムにフォーカシングするステップを含むことを特徴とする請求項５に記載の方法。
【請求項１０】
インタラクティブコンテンツ再生装置を制御する情報を保存する情報記録媒体において、
マークアップ言語で作成されたマークアップ文書と、
前記マークアップ文書から得られたマークアップ画面に埋め込まれ、少なくとも一つの入力アイテムを有するオブジェクト画面にディスプレイされ、入力アイテムマップ情報を生成するための前記入力アイテムの入力様式情報、位置情報及び識別子情報を含んだオブジェクトプログラムと、を備えることを特徴とする情報記録媒体。
【請求項１１】
前記マークアップ文書から得られたマークアップ画面に埋め込まれてディスプレイされる、オーディオコンテンツ及びイメージコンテンツのうち、少なくとも一つをさらに備えることを特徴とする請求項１０に記載の情報記録媒体。
【請求項１２】
前記オブジェクトプログラムは、ＸＭＬ文書及びジャバプログラムによる独立的なプログラム構造を有することを特徴とする請求項１０に記載の情報記録媒体。
【請求項１３】
インタラクティブコンテンツ再生装置を制御する情報を保存する情報記録媒体において、
マークアップ言語で作成されたマークアップ文書と、
前記マークアップ文書から得られたマークアップ画面に埋め込まれ、少なくとも一つの入力アイテムを有するオブジェクト画面にディスプレイされるオブジェクトプログラムと、
ユーザー入力装置からのフォーカシング移動のためのキー入力に応答して、前記オブジェクト画面のためのオブジェクト解釈エンジンが、フォーカシング移動のためのメッセージを、前記マークアップ画面のためのマークアップ解釈エンジンに伝達し、前記マークアップ解釈エンジンが、前記メッセージに応答して既定の順序によって、前記入力アイテムのうちいずれか一つにフォーカシングを指示するフォーカシング転換プログラムとを備えることを特徴とする情報記録媒体。
【請求項１４】
前記メッセージは、現在のフォーカシングされた位置情報と、フォーカシング移動のための方向情報とを含んでいることを特徴とする請求項１３に記載の情報記録媒体。
【請求項１５】
前記フォーカシング転換プログラムは、
現在のフォーカシングされた入力アイテムを基準として、前記方向情報に基づいて選択されたいずれか一つの方向について存在する次の入力アイテムにフォーカシングを指示することを特徴とする請求項１３に記載の情報記録媒体。
【請求項１６】
前記フォーカシング転換プログラムは、
前記方向情報に基づいて、現在のフォーカシングされた入力アイテムを基準として、各入力アイテムの距離と指示角度とを参照して決定された次の入力アイテムにフォーカシングを指示することを特徴とする請求項１３に記載の情報記録媒体。
【請求項１７】
マークアップ画面ディスプレイシステムにおいて、
ディスプレイと、
非ポインタ型の入力装置と、
少なくとも一つの入力アイテムを有するマークアップ画面を、前記ディスプレイ上に生成するためのマークアップ文書、及び少なくとも一つの入力アイテムを有する埋め込まれたオブジェクト画面を備える前記マークアップ画面を処理し、前記非ポインタ型の入力装置の入力に対応して、所定の順序によって、前記マークアップ画面の入力アイテムと前記オブジェクト画面の入力アイテムとの間で、入力アイテムのフォーカシングを移動させるプログラムされたコンピュータプロセッサとを備えることを特徴とするマークアップ画面ディスプレイシステム。
【請求項１８】
前記マークアップ文書及び前記マークアップ画面に埋め込まれた前記オブジェクト画面として、ＤＶＤビデオを保存するデジタルビデオディスクをさらに備え、
前記ディスプレイは、テレビであり、
前記プログラムされたコンピュータプロセッサは、前記ＤＶＤに保存された前記マークアップ文書を処理するＤＶＤプレーヤであり、
前記非ポインタ型の入力装置は、ＤＶＤプレーヤのリモートコントロールであることを特徴とする請求項１７に記載のマークアップ画面ディスプレイシステム。
【請求項１９】
前記プログラムされたコンピュータプロセッサとして、前記マークアップ文書を処理するオブジェクト解釈エンジンと、前記マークアップ画面に埋め込まれた前記オブジェクト画面をディスプレイするために、オブジェクトプログラムを処理するマークアップ解釈エンジンとは、前記非ポインタ型の入力装置のキー入力に応答して、前記オブジェクト画面とマークアップ画面との入力アイテムの間で、前記入力アイテムのフォーカシング移動を制御するために、メッセージを交換することを特徴とする請求項１７に記載のマークアップ画面ディスプレイシステム。
【請求項２０】
前記メッセージは、現在のフォーカシングされたオブジェクト画面、またはマークアップ画面の入力アイテムの位置に関する情報と、前記フォーカシングが移動する方向情報とを備えることを特徴とする請求項１９に記載のマークアップ画面ディスプレイシステム。
【請求項２１】
インタラクティブＤＶＤコンテンツプレーヤにおいて、
非ポインタ型の入力装置と、
少なくとも一つの入力アイテムを有するマークアップ画面を、前記ディスプレイ上に生成するためのマークアップ文書、及び少なくとも一つの入力アイテムを有する埋め込まれたＤＶＤオブジェクト画面を備える前記マークアップ画面を処理し、前記非ポインタ型の入力装置の入力に対応して、所定の順序によって、前記マークアップ画面の入力アイテムと前記ＤＶＤオブジェクト画面の入力アイテムとの間で、入力アイテムのフォーカシングを移動させるプログラムされたコンピュータプロセッサとを備えることを特徴とするマークアップ画面ディスプレイシステム。
【請求項２２】
インタラクティブコンテンツ再生装置において、
非ポインタ型の入力装置と、
オブジェクトプログラムを備えるインタラクティブコンテンツを読み込むリーダと、
少なくとも一つの入力アイテムを有し、前記オブジェクトプログラムに基づいて埋め込まれたオブジェクト画面を備えるインタラクティブ画面を生成するために、前記オブジェクトプログラムを備える前記インタラクティブコンテンツを処理し、前記非ポインタ型の入力装置の入力に対応して、所定の順序によって、前記インタラクティブ画面入力アイテムと前記オブジェクト画面の入力アイテムとの間で、入力アイテムのフォーカシングを移動させるプレゼンテーションエンジンとを備えることを特徴とするインタラクティブコンテンツ再生装置。
【請求項２３】
前記インタラクティブコンテンツは、マークアップ文書であり、前記プレゼンテーションエンジンは、
前記インタラクティブ画面としてマークアップ画面を生成し、前記マークアップ画面の入力アイテムをフォーカシングするためのマークアップ画面の入力アイテムマップを生成するために、前記マークアップ文書を解釈するマークアップ解釈エンジンと、
前記インタラクティブ画面に前記オブジェクト画面を埋め込み、前記オブジェクト画面の入力アイテムをフォーカシングするためのオブジェクト画面の入力アイテムマップを生成するために、前記オブジェクトプログラムを解釈するオブジェクト解釈エンジンと、
前記マークアップ画面と前記オブジェクト画面との入力アイテムマップを保存し、前記マークアップ画面と前記オブジェクト画面との入力アイテムマップによって、前記マークアップ画面の入力アイテムと前記オブジェクト画面の入力アイテムとの間で、前記入力アイテムのフォーカシングを移動させるユーザー入力コントローラとを備えることを特徴とする請求項２２に記載のインタラクティブコンテンツ再生装置。
【請求項２４】
前記非ポインタ型の入力装置は、前記入力アイテムのフォーカシングを左、右、上、下の方向に移動させる四つの方向キーを備えるリモートコントロールであり、
前記プレゼンテーションマネージャーは、前記インタラクティブ画面を出発する前記オブジェクト画面の方向にある前記方向キーのうち一つに応答して、インタラクティブ画面からオブジェクト画面に前記入力アイテムのフォーカシングを移動させることを特徴とする請求項２２に記載のインタラクティブコンテンツ再生装置。
【請求項２５】
前記非ポインタ型の入力装置は、前記入力アイテムのフォーカシングを左、右、上、下の方向に移動させる四つの方向キーを備えるリモートコントロールであり、
前記プレゼンテーションマネージャーは、各入力アイテムの距離と方向角とを参照して次の入力アイテムを探索することによって、前記上向きキーまたは下方キーに応答して、前記インタラクティブ画面の入力アイテムと前記オブジェクト画面の入力アイテムを通じて、前記入力アイテムのフォーカシングを上にまたは下に移動させることを特徴とする請求項２２に記載のインタラクティブコンテンツ再生装置。
【発明の詳細な説明】
【技術分野】
【０００１】
本発明は、インタラクティブコンテンツのナビゲーション方式に係り、特に、マークアップ画面に埋め込まれたオブジェクト画面の少なくとも一つの入力アイテムをフォーカシングする方法、その装置及び情報記録媒体に関する。
【背景技術】
【０００２】
インタラクティブコンテンツとは、ユーザーの意思に関係なく一方的に提供されるコンテンツと異なり、ユーザーインターフェースを有し、ユーザーインターフェースを通じてユーザーとの意志疎通が可能な双方向コンテンツをいう。
【０００３】
インタラクティブコンテンツの代表的な例では、個人用コンピュータで再生可能なインタラクティブＤＶＤを挙げることができる。インタラクティブＤＶＤは、ＰＣ（パーソナルコンピュータ）を基盤として、ＡＶ（オーディオ／ビデオ）データをインタラクティブモードで再生できるＤＶＤであって、ここには、従来のＤＶＤ−Ｖｉｄｅｏ規格によって、ＡＶデータが含まれている一方、インタラクティブ機能を支援するためのマークアップ文書がさらに記録されている。したがって、インタラクティブＤＶＤに記録されたＡＶデータは、二つの方法でディスプレイされることができる。一つは、一般的なＤＶＤ−Ｖｉｄｅｏと同一な方式でディスプレイされるビデオモードであり、他の一つは、ＡＶデータが再生されて表示されるＡＶ画面が、マークアップ文書から得られたマークアップ画面に埋め込まれてディスプレイされるインタラクティブモードである。マークアップ画面は、マークアップ言語で作成されたデータのディスプレイ、すなわちディスプレイされたマークアップ文書であり、ＡＶ画面は、マークアップ画面に埋め込まれる。例えば、ＡＶデータが映画タイトルである場合、ＡＶ画面には、映画が上映され、マークアップ画面の残りの部分には、映画の台本、筋、出演俳優の写真など多様な付加情報が表示される。付加情報は、ビデオタイトルと同期されて表示されることもある。例えば、特定な出演俳優が登場し始まるとき、その俳優についての履歴情報が表示される場合を挙げることができる。
【０００４】
マークアップ文書の特定のエレメントは、タグを使用して記録されている。特定のエレメントに与えられている動作は、該当のエレメントがユーザーにより選択された状態で、再びユーザーの実行命令を受け入れる方式により行われる。ユーザーにより選択された状態は、フォーカシングされた状態、すなわち“フォーカスオン状態”という。
【０００５】
従来のマークアップ文書のエレメントをフォーカシングする方法には、次のようなものがある。
【０００６】
１．マウス、ジョイスティックなどのポインティングデバイスで該当のエレメントをフォーカシングできる。
【０００７】
２．各エレメントに既定の選択順序を割り当て、キーボードなどの入力デバイスを使用して、一つのエレメントから他のエレメントに順次にフォーカシングできる。マークアップ文書の製作者は、フォーカシング順序を“Ｔａｂｂｉｎｇ  Ｏｒｄｅｒ”を使用して決めることができ、ユーザーは、キーボードのｔａｂキーを使用して、それらのエレメントを順次にフォーカシングできる。
【０００８】
３．該当のエレメントを直接フォーカシングできるように、アクセスキー値を割り当て、割り当てられたアクセスキー値をユーザー入力装置から入力されて、対応のエレメントをフォーカシングする。
【０００９】
しかし、マークアップ文書にオブジェクトプログラムがリンクされることによって、マークアップ文書から得られるマークアップ画面に、オブジェクトプログラムから得られるオブジェクト画面が埋め込まれてディスプレイされる一方、オブジェクト画面が少なくとも一つのボタン、リンク等フォーカシングが可能な入力アイテムを有する場合、フォーカシングに問題が発生する。
【００１０】
図１、図２Ａ、図２Ｂ、図２Ｃは、従来のフォーカシング方式を説明するための、インタラクティブモードで再生されたインタラクティブＤＶＤのディスプレイ画面の概略図である。
【００１１】
図１に示すように、ディスプレイ画面は、オブジェクト画面であって、ＤＶＤ−Ｖｉｄｅｏ画面が埋め込まれたマークアップ画面で構成される。マークアップ画面には、フォーカシングできる入力アイテムとしてリンク、ボタンが設けられており、オブジェクト画面には、入力アイテム
【００１２】
【数１】
2006507597.tif 000003
が存在する。
【００１３】
図２Ａは、マークアップ画面に設けられたリンクがフォーカシングされていることを示す。ＴＶ／ディスプレイモニタ及びＤＶＤプレーヤ（例えば、一般的なホームＤＶＤ再生システム）を含むＤＶＤ再生システムが、インタラクティブＤＶＤをディスプレイするために使われる状況で、ユーザーがリモコンに設けられた下側方向キーを押せば、図２Ｂのようにフォーカシングが移動する。ユーザーが再び左側方向キーを押せば、図２Ｃのように、フォーカシングは、左側エレメントであるＤＶＤ−Ｖｉｄｅｏ画面に移動する。すなわち、ＤＶＤ−Ｖｉｄｅｏ画面の全体がフォーカシングされる。ここで、再びＤＶＤ−Ｖｉｄｅｏ画面内の入力アイテム
【００１４】
【数２】
2006507597.tif 000004
をフォーカシングするためには、マウスポインタを使用せねばならない。
【００１５】
このように、キーボードやリモコンなどのユーザー入力装置を使用した従来のポインティング方式によれば、マークアップ画面に存在する入力アイテムや、オブジェクト画面に存在する入力アイテムを区分せずに同一な方式で、すなわち、従来のマークアップ画面で入力アイテムについてフォーカシングする方式でフォーカシングできず、マークアップ文書の他のエレメントのように、オブジェクト画面の全体についてフォーカシングできるだけである。特に、家庭内での使用を中心に作られる再生装置には、ユーザーの目とディスプレイ画面との距離は、マウスポインタを使用してフォーカシングすることが、事実上不可能な程度で遠いため、マウスポインタが備えられず、リモコンなどのユーザー入力装置のみが備えられるので、オブジェクト画面内の入力アイテムについてのフォーカシングがさらに問題となる。
【発明の開示】
【発明が解決しようとする課題】
【００１６】
本発明の目的は、マウスポインタを使用せずにキーボード、リモコン等ユーザー入力装置を使用して、マークアップ画面に埋め込まれたオブジェクト画面の入力アイテムをフォーカシングできる方法、その装置及び情報記録媒体を提供するところにある。
【００１７】
本発明の他の目的は、マークアップ画面に存在する入力アイテムや、オブジェクト画面に存在する入力アイテムを区分せずに、同一な方式でフォーカシングできる方法、その装置及び情報記録媒体を提供するところにある。
【課題を解決するための手段】
【００１８】
前記目的を達成するために、本発明は、マークアップ画面に埋め込まれたオブジェクト画面の少なくとも一つの入力アイテムをフォーカシングする方法において、（ａ）オブジェクトプログラムを解釈して、前記入力アイテムにフォーカシングするための入力アイテムマップ情報を生成するステップ、及び（ｂ）ユーザー入力装置からのキー入力に応答して、前記入力アイテムマップ情報を参照して、前記入力アイテムのうちいずれか一つにフォーカシングするステップを含むことを特徴とする方法によって達成される。
【００１９】
前記（ａ）ステップは、ＸＭＬ（ｅＸｔｅｎｓｉｂｌｅ  Ｍａｒｋｕｐ  Ｌａｎｇｕａｇｅ）文書及びジャバプログラムのうち、いずれか一つで記述された前記オブジェクトプログラムを解釈するステップを含むことが望ましい。
【００２０】
前記（ａ）ステップは、（ａ１）前記オブジェクトプログラムから前記入力アイテムの入力様式情報、位置情報及び識別子情報を得るステップ、及び（ａ２）前記入力様式情報、位置情報及び識別子情報に基づいて、前記入力アイテムマップ情報を生成するステップを含むことが望ましい。
【００２１】
前記（ｂ）ステップは、前記ユーザー入力装置から方向キーが入力されれば、前記入力様式情報、位置情報及び識別子情報に基づいて、現在のフォーカシングされた位置について、前記方向キーが指示する方向に最も近接した入力アイテムにフォーカシングを移動させるステップを含むことが望ましい。
【００２２】
また、前記目的は、マークアップ画面に埋め込まれたオブジェクト画面の少なくとも一つの入力アイテムをフォーカシングする方法において、（ａ）ユーザー入力装置からのフォーカシング移動のためのキー入力に応答して、前記マークアップ画面のためのマークアップ解釈エンジンが、マークアップフォーカシング移動のためのメッセージを、前記オブジェクト画面のためのオブジェクト解釈エンジンに伝達するステップ、及び（ｂ）前記オブジェクト解釈エンジンは、前記メッセージに応答して既定の順序によって、前記入力アイテムのうちいずれか一つにフォーカシングするステップを含むことを特徴とする方法によっても達成される。
【００２３】
また、前記目的は、マークアップ画面に埋め込まれたオブジェクト画面の少なくとも一つの入力アイテムをフォーカシングする方法において、（ａ）ユーザー入力装置からのフォーカシング移動のためのキー入力に応答して、前記オブジェクト画面のためのオブジェクト解釈エンジンが、フォーカシング移動のためのメッセージを、前記マークアップ画面のためのマークアップ解釈エンジンに伝達するステップ、及び（ｂ）前記マークアップ解釈エンジンが、前記メッセージに応答して既定の順序によって、前記入力アイテムのうちいずれか一つにフォーカシングするステップを含むことを特徴とする方法によっても達成される。
【００２４】
前記（ａ）ステップは、現在のフォーカシングされた位置情報と、フォーカシング移動のための方向情報とを含む前記メッセージを伝達するステップであることが望ましい。
【００２５】
前記（ｂ）ステップは、（ｂ１）現在のフォーカシングされた入力アイテムを基準として、前記方向情報に基づいて選択された方向について存在する次の入力アイテムにフォーカシングするステップを含むことが望ましい。
【００２６】
前記（ｂ）ステップは、（ｂ２）前記方向情報に基づいて、現在のフォーカシングされた入力アイテムを基準として、各入力アイテムの距離と指示角度とを参照して決定された次の入力アイテムにフォーカシングするステップを含むことが望ましい。
【００２７】
一方、本発明の他の分野によれば、前記目的は、マークアップ言語で作成されたマークアップ文書、及び前記マークアップ文書から得られたマークアップ画面に埋め込まれ、少なくとも一つの入力アイテムを有するオブジェクト画面にディスプレイされ、入力アイテムマップ情報を生成するための前記入力アイテムの入力様式情報、位置情報及び識別子情報を含んだオブジェクトプログラムを備えることを特徴とする情報記録媒体によっても達成される。
【００２８】
前記マークアップ文書から得られたマークアップ画面に埋め込まれてディスプレイされる、オーディオコンテンツ及びイメージコンテンツのうち、少なくとも一つをさらに備えることが望ましい。
【００２９】
前記オブジェクトプログラムは、ＸＭＬ文書及びジャバプログラムのような独立的なプログラム構造を有したプログラムであることが望ましい。
【００３０】
また、前記目的は、マークアップ言語で作成されたマークアップ文書と、前記マークアップ文書から得られたマークアップ画面に埋め込まれ、少なくとも一つの入力アイテムを有するオブジェクト画面にディスプレイされるオブジェクトプログラムと、ユーザー入力装置からのフォーカシング移動のためのキー入力に応答して、前記オブジェクト画面のためのオブジェクト解釈エンジンが、フォーカシング移動のためのメッセージを、前記マークアップ画面のためのマークアップ解釈エンジンに伝達し、前記マークアップ解釈エンジンが、前記メッセージに応答して既定の順序によって、前記入力アイテムのうちいずれか一つにフォーカシングを指示するフォーカシング転換プログラムと、を備えることを特徴とする情報記録媒体によっても達成される。
【００３１】
前記メッセージは、現在のフォーカシングされた位置情報と、フォーカシング移動のための方向情報とを含んでいることが望ましい。
【００３２】
前記フォーカシング転換プログラムは、現在のフォーカシングされた入力アイテムを基準として、前記方向情報に基づいて選択されたいずれか一つの方向について存在する次の入力アイテムにフォーカシングを指示することが望ましい。
【００３３】
前記フォーカシング転換プログラムは、前記方向情報に基づいて現在のフォーカシングされた入力アイテムを基準として、各入力アイテムの距離と指示角度とを参照して決定された次の入力アイテムにフォーカシングを指示することが望ましい。
【発明を実施するための最良の形態】
【００３４】
以下、添付された図面を参照して、本発明の望ましい実施形態を詳細に説明する。
【００３５】
図３は、本発明の望ましい実施形態による装置の概要図である。図３に示すように、装置は、プレゼンテーションエンジン１で具現される。プレゼンテーションエンジンは、インタラクティブコンテンツをディスプレイする装置を制御するソフトウェアであって、例えば、ＤＶＤプレーヤとＴＶ／ディスプレイモニタとを備える、ホームＤＶＤ再生システムのようなインタラクティブコンテンツ再生システムを制御するソフトウェアである。インタラクティブコンテンツは、本発明によって製作されたものであって、ユーザーとインタラクションが可能なインタラクティブ画面に、オブジェクト画面が埋め込まれて表示されるためのデータとして、本実施形態では、マークアップ文書とオブジェクトプログラムとを備える。マークアップ文書は、インタラクティブ画面のためのデータであり、オブジェクトプログラムは、インタラクティブ画面に埋め込まれて表示されるためのオブジェクト画面のためのデータである。
【００３６】
プレゼンテーションエンジン１は、本発明によるインタラクティブコンテンツを入力されて解釈してプレゼンテーションするための装置であって、オブジェクトプログラムを解釈して、オブジェクト画面の入力アイテムにフォーカシングするための入力アイテムマップ情報を生成し、キーボード、リモコンなどのユーザー入力装置からのキー入力に応答して、前記入力アイテムマップ情報を参照して、オブジェクト画面の入力アイテムのうちいずれか一つにフォーカシングする。本発明において、インタラクティブコンテンツ再生システムの入力装置は、リモートコントロール装置、キーボード、入力ボタン／キーなどのいかなる種類の非ポインタ型の入力装置となることもあり、マウスのようなポインタ型の入力装置となることもある。請求された発明は、非ポインタ型の入力装置を利用してマークアップ文書によって、マークアップ画面に埋め込まれたオブジェクト画面の入力アイテムのフォーカシングに関する。
【００３７】
代案的に、プレゼンテーションエンジン１は、後述するように、マークアップ解釈エンジンとオブジェクト解釈エンジンとを備えて、ユーザー入力装置からのフォーカシング移動のためのキー入力に応答して、マークアップ解釈エンジンとオブジェクト解釈エンジンとの間のメッセージ交換を通じて、既定の順序によって、入力アイテムのうちいずれか一つにフォーカシングする。例えば、フォーカスは、マークアップ解釈エンジンとオブジェクト解釈エンジンとの間のメッセージ交換により、マークアップ画面の入力アイテムからオブジェクト画面の入力アイテムに、またはその逆に移動できる。
【００３８】
図４は、本発明によるインタラクティブコンテンツとプレゼンテーションエンジン１とのソフトウェア的な構成図である。図４に示すように、インタラクティブコンテンツは、マークアップ文書及びオブジェクトプログラムを備え、その他のコンテンツ１、２をさらに備えることがあるが、それらの具備如何は、選択的である。マークアップ文書は、ＸＭＬ、ハイパーテキストマークアップ言語（ＨＴＭＬ）等のマークアップ言語で作成された文書であって、一種のアプリケーションである。オブジェクトプログラムは、マークアップ文書にリンクされて、マークアップ画面に埋め込まれたアニメーションフラッシュや動映像画面、すなわちオブジェクト画面を見せるためのプログラムであって、特に本発明によって、オブジェクト画面の入力アイテムにフォーカシングするための入力アイテムマップ情報を生成するための情報を含んでいる。本実施形態において、オブジェクトプログラムは、ジャバでコーディングされる。本実施形態において、その他のコンテンツ１は、サウンドデータであり、その他のコンテンツ２は、イメージデータである。
【００３９】
プレゼンテーションエンジン１は、運用体制が搭載されたプロセッサで具現される。さらに具体的に、プレゼンテーションエンジン１に具現された本発明のプロセスは、ソフトウェアで具現され、インタラクティブコンテンツ再生システムは、本発明のプロセスによってシステムを制御するために、プレゼンテーションエンジン１によりプログラムされたプロセッサを備える。ソフトウェア的な観点で、プレゼンテーションエンジン１には、ＡＰＩ（アプリケーションプログラムインターフェース）を通じて運用体制と通信するアプリケーションとして、オブジェクト解釈エンジンとマークアップ解釈エンジンとが設置されている。オブジェクト解釈エンジンは、オブジェクトプログラムを解釈して実行するためのアプリケーションであり、マークアップ解釈エンジンは、マークアップ文書を解釈して実行するためのアプリケーションである。また、プレゼンテーションエンジン１には、オブジェクト解釈エンジンにプラグインされて、ＡＰＩを通じて運用体制と通信するアプリケーションであるプラグイン１と、マークアップ解釈エンジンにプラグインされるプラグイン２とが設置されている。プラグイン１は、その他のコンテンツ１をデコーディングするためのデコーダであり、プラグイン２は、その他のコンテンツ２をデコーディングするためのデコーダである。プラグイン１、２の具備如何は、選択的である。
【００４０】
図５は、本発明によるプレゼンテーションエンジン１が搭載された装置を備えた再生システムの具現例である。図５に示すように、再生システムは、情報記録媒体として、ディスク１００、再生装置２００、本実施形態によるディスプレイ装置として、ＴＶ  ３００、及びユーザー入力装置であるリモコン４００を備える。リモコン４００は、ユーザーの制御命令を受信して、再生装置２００に伝達する。再生装置２００は、ディスク１００に記録されたインタラクティブデータを読み込むためのドライブが設けられている。ドライブにディスク１００がロードされれば、再生装置２００は、ディスクに記録されたインタラクティブコンテンツを再生して、ＴＶ  ３００に伝達する。ＴＶ  ３００には、インタラクティブコンテンツの再生画面が表示される。すなわち、オブジェクトプログラムから得られたオブジェクト画面が埋め込まれたマークアップ画面が表示される。さらに、再生装置２００は、インターネット等ネットワークに接続して、データを送受信できる。さらに具体的に、本発明のオブジェクト画面の入力アイテムのフォーカス制御方法は、キャリアウェーブで具現されたインタラクティブコンテンツを受信して再生するインタラクティブコンテンツ再生装置にも適用できる。
【００４１】
図６は、リモコン４００の具現例である。図６に示すように、リモコン４００の前面の上端には、数字ボタンと特殊文字ボタンとのグループ４３が配置されており、前面の中央には、ＴＶ  ３００の画面に表示されるフォーカスを上側に移動するための方向キー４５、下側に移動するための方向キー４７、左側に移動するための方向キー４６、及び右側に移動するための方向キー４８が設けられており、方向キーの中央には、ポインタによりポインティングされたアイテムを選択するのに使われるエンターキー４９が設けられている。
【００４２】
本発明によって、ユーザーは、方向キー４５、４６、４７、４８を使用して、マークアップ画面の入力アイテムの間、オブジェクト画面の入力アイテムの間はもとより、マークアップ画面の入力アイテムからオブジェクト画面の入力アイテムにフォーカスを移動させるか、またはオブジェクト画面の入力アイテムからマークアップ画面の入力アイテムにフォーカスを移動させることができる。すなわち、マークアップ画面とオブジェクト画面とを区分せず、方向キー４５、４６、４７、４８を使用して、入力アイテムの間にフォーカスを移動させることができる。
【００４３】
図７は、本発明の望ましい実施形態によるプレゼンテーションエンジン１のブロック図である。図７に示すように、プレゼンテーションエンジン１は、オブジェクト解釈エンジン７１、マークアップ解釈エンジン７２、コンテンツデコーダ７３、及びユーザー入力コントローラ７４を備える。
【００４４】
オブジェクト解釈エンジン７１は、オブジェクトプログラムを解釈して、本発明による入力アイテムにフォーカシングするための入力アイテムマップ情報を生成して、ユーザー入力コントローラ７４に伝達する。マークアップ解釈エンジン７２は、マークアップ文書を解釈して、フォーカスを受けることができるエレメント（入力アイテム）が存在すれば、それらについての本発明による入力アイテムマップ情報を生成して、ユーザー入力コントローラ７４に伝達する。ユーザー入力コントローラ７４は、オブジェクト解釈エンジン７１から伝達された入力アイテムマップ情報、及び／またはマークアップ解釈エンジン７２から伝達された入力アイテムマップ情報を有する。ユーザー入力コントローラ７４は、リモコン４００からのフォーカシング移動のためのキー入力に応答して、有している入力アイテムマップ情報に基づいてフォーカシングを移動させて、該当の入力アイテムをフォーカシングする。さらに具体的に、ユーザー入力コントローラ７４は、ポインタ型及び非ポインタ型の入力装置を区別せず、あるユーザー入力装置からのオブジェクト画面及びマークアップ画面のためのフォーカス移動命令を処理できる。
【００４５】
代案的に、オブジェクト解釈エンジン７１とマークアップ解釈エンジン７２とは、リモコン４００からのフォーカシング移動のためのキー入力に応答して、フォーカシング移動のためのメッセージを送受信する。これにより、フォーカシング移動のためのメッセージを受けたオブジェクト解釈エンジン７１、またはマークアップ解釈エンジン７２は、メッセージに既定の順序によって、入力アイテムのうちいずれか一つにフォーカシングする。
【００４６】
一方、コンテンツデコーダ７３は、オブジェクト解釈エンジン７１から伝達された動映像データ、イメージデータ及び／またはオーディオデータをデコーディンし、マークアップ文書にリンクされて表示されるその他のコンテンツをデコーディングして出力する。マークアップ文書にリンクされるその他のコンテンツの存否は、選択的である。
【００４７】
図８は、本発明の一実施形態によって、オブジェクト画面の入力アイテムのための入力アイテムマップ情報を説明するための参考図である。図８に示すように、オブジェクト画面には、入力アイテムとして、名前、アドレス、電話番号をそれぞれ入力するための３つの入力フォームが設けられている一方、一つのＯＫボタンが設けられている。フォーカスは、各入力フォームとＯＫボタンとの間を移動できる。名前、アドレス、電話番号を入力できる入力アイテムは、入力様式が入力フォームであり、ＯＫボタンは、入力様式が“ｓｕｂｍｉｔ”である。
【００４８】
オブジェクト解釈エンジン７１は、図８に示したオブジェクト画面のためのオブジェクト画面の入力アイテムマップを生成するか、または含んでいる。名前を入力できる入力フォームには、識別子情報として識別子ｉｄ＝１が割り当てられ、位置情報としては、オブジェクト画面の左上側の頂点を原点としたとき、入力フォームの左上側の頂点の座標（ｘ，ｙ）＝（９５，２６）と、入力フォームの左上側の頂点から入力フォームの横長及び縦長を知らせる情報（ｃｘ，ｃｙ）＝（８４，２２）とが割り当てられることが分かる。アドレスを入力できる入力フォームには、識別子としてｉｄ＝２が割り当てられ、位置情報としては、入力フォームの左上側の頂点の座標（ｘ，ｙ）＝（５３，８４）と、入力フォームの横長及び縦長を知らせる情報（ｃｘ，ｃｙ）＝（８４，２２）とが与えられる。電話番号を入力できる入力フォームには、識別子としてｉｄ＝３が割り当てられ、位置情報としては、入力フォームの左上側の頂点の座標（ｘ，ｙ）＝（８３，８４）と、入力フォームの横長及び縦長を知らせる情報（ｃｘ，ｃｙ）＝（８４，２２）とが与えられる。最後に、ＯＫボタンには、識別子としてｉｄ＝４が割り当てられ、位置情報としては、ボタンの左上側の頂点の座標（ｘ，ｙ）＝（５６，１２５）と、入力フォームの横長及び縦長を知らせる情報（ｃｘ，ｃｙ）＝（８９，２６）とで構成される。
【００４９】
前記の入力アイテムマップ情報をＸＭＬ文書で表現すれば、次の通りである。
【００５０】
【表１】
2006507597.tif 000005
前記のＸＭＬ文書は、＜ｉｔｅｍｌｉｓｔ＞と＜ｆｏｃｕｓｉｔｅｍｌｉｓｔ＞との二つの部分からなる。そのうち一部を解釈すれば、次の通りである。
【００５１】
＜ｉｔｅｍｌｉｓｔ＞部分は、ある入力アイテムが入力フォーカスを受けるかを述べる部分であり、＜ｆｏｃｕｓｉｔｅｍｌｉｓｔ＞部分は、リモコン４００に設けられた方向キーによって、何れの入力アイテムにフォーカスを移動させるかを述べる部分である。例として、前記のＸＭＬ定義で、解釈（１）と（２）とを参照して、＜ｉｔｅｍｌｉｓｔ＞部分と＜ｆｏｃｕｓｉｔｅｍｌｉｓｔ＞部分の解釈は、次の通りである。
【００５２】
解釈（１）：識別子ｉｄとして“１”値を有し、位置は、左上が（９５，２６）であり、幅及び高さが（８４，２２）で何れのｔｅｘｔ  ｆｉｅｌｄ様式のキー入力を受けることができる。入力様式は、“ＴｅｘｔＡｒｅａ”、“Ｂｕｔｔｏｎ”、“ＴｅｘｔＦｉｅｌｄ”、“Ｌｉｓｔ”、“ＣｈｅｃｋＢｏｘ”等で多様に選定されることができる。
【００５３】
解釈（２）：識別子ｉｄとして“２”のフォーカス入力がある場合、上方向のキー４５を押せば、識別子ｉｄが“２”である入力アイテムから、識別子ｉｄが“１”である入力アイテムに現在のフォーカスが移動し（すなわち、図８で、現在のフォーカスは、アドレス入力フォームから名前入力フォームに移動する）、下方向のキー４７を押せば、識別子ｉｄが“３”である入力アイテムに移動する（すなわち、図８で、現在のフォーカスは、アドレス入力フォームから電話番号入力フォームに移動する）。
【００５４】
このように、入力アイテムマップ情報を、オブジェクトプログラムのジャバプログラムコード内に記録することによって、このコードがオブジェクト解釈エンジン７１で実行されて、ユーザー入力コントローラ７４に伝達されれば、ユーザーは、リモコン入力により入力アイテムについてのフォーカス制御を行うことができる。
【００５５】
ＸＭＬ文書がジャバプログラムに含まれて、ジャバプログラムソースコードで使われる例は、次の通りである。
【００５６】
【表２】
2006507597.tif 000006
2006507597.tif 000007
2006507597.tif 000008
前記のソース例は、ＸＭＬ  ＤＴＤ（Ｄｏｃｕｍｅｎｔ  Ｔｙｐｅ  Ｄｅｆｉｎｉｔｉｏｎ）形式によって、他の方式でも作られるということは言うまでもない。
【００５７】
代案的に、ＸＭＬ文書が、オブジェクトプログラムであるジャバプログラムコードに使われるものと異なり、ＸＭＬ文書は、ジャバプログラムコードに転換されて使われることができる。そのジャバプログラムコードの例は、次の通りである。
【００５８】
【表３】
2006507597.tif 000009
入力アイテムマップ情報のためのＡＰＩを使用して作成されたジャバプログラムのソースコードの例は、次の通りである。
【００５９】
【表４】
2006507597.tif 000010
2006507597.tif 000011
さらに、前記のソース例によるフォーカス制御方式は、ディスクを再生する装置及びキャリアウェーブを受信して再生する装置にも適用できる。
【００６０】
図９は、本発明の一実施形態によって、図２のマークアップ画面のための入力アイテムマップ情報を示す。図９に示すように、入力アイテムマップ情報は、入力アイテムの入力様式情報、位置情報、識別子情報で構成されることが分かる。すなわち、マークアップ画面の恐竜についての説明のうち、入力アイテムである恐竜名、例えばｈａｄｒｉｓａｕｒｕｓｅｓの入力様式は、アンカーＡであり、識別子は、ｉｄ＝ｄｏｍ：１００１が割り当てられ、その位置情報は、マークアップ画面の左上側の頂点を原点とした時、入力アイテムの左上側の頂点の座標（ｘ，ｙ）＝（４１４，６３）と、入力フォームの左上側の頂点から入力フォームの横長及び縦長を知らせる情報（ｃｘ，ｃｙ）＝（１４０，１８）とで構成されることが分かる。入力アイテムであるＮｅｘｔボタンの入力様式は、“ｓｕｂｍｉｔ”であり、識別子は、ｉｄ＝ｄｏｍ：１０１０が割り当てられ、その位置情報は、Ｎｅｘｔボタンの左上側の頂点の座標（ｘ，ｙ）＝（５１９，４３９）と、Ｎｅｘｔボタンの左上側の頂点からＮｅｘｔボタンの横長及び縦長を知らせる情報（ｃｘ，ｃｙ）＝（８６，２４）とで構成されることが分かる。一方、恐竜アニメーションがディスプレイされるオブジェクト画面は、マークアップ画面について、一つの入力アイテムであるアニメーションアプレットであって、入力様式は、“ｏｂｊｅｃｔ”であり、識別子は、ｉｄ＝ｄｏｍ：１０１１が割り当てられ、その位置情報は、オブジェクト画面の左上側の頂点の座標（ｘ，ｙ）＝（３４，５１）と、オブジェクト画面の左上側の頂点からオブジェクト画面の横長及び縦長を知らせる情報（ｃｘ，ｃｙ）＝（２６４，２８２）とで構成されることが分かる。
【００６１】
一方、恐竜アニメーションを見せるオブジェクト画面の入力アイテムのための入力アイテムマップ情報は、図７のものと同一な方式で生成できるので、反復される説明は省略する。
【００６２】
図１０Ａ及び図１０Ｂは、本発明の他の実施形態によって、オブジェクト画面の入力アイテムをフォーカシングする方法を説明するための参考図である。
【００６３】
図１０Ａには、恐竜アニメーションを見せるオブジェクト画面が埋め込まれているマークアップ画面が示されている。本実施形態によれば、マークアップ画面の入力アイテムとオブジェクト画面の入力アイテムとの間のフォーカシング移動は、オブジェクト解釈エンジン７１とマークアップ解釈エンジン７２との間のメッセージ交換方式による。フォーカシング移動のためのメッセージ交換により、オブジェクト解釈エンジン７１とマークアップ解釈エンジン７２とは、フォーカシング移動についての制御を受信するか、または送信する。図１０Ａに示した矢印方向、すなわちマークアップ画面の入力アイテムからオブジェクト画面の入力アイテムにフォーカスを移動させる時、図１０Ｂに示したように、リモコン４００からのフォーカシング移動のためのキー入力に応答して（例えば、マークアップ画面を離れるオブジェクト画面の方向で、方向キー４５、４６、４７、４８のいずれか一つに応答して）、マークアップ解釈エンジン７２は、オブジェクト解釈エンジン７１にフォーカシング移動のための情報を含んだメッセージを伝達する。これにより、オブジェクト解釈エンジン７１は、メッセージに応答して既定の順序によって、そして、対応するオブジェクト画面のプログラムにより含まれるか、または検索されたオブジェクト画面のためのオブジェクト画面の入力アイテムマップによって、前記入力アイテムのうちいずれか一つにフォーカシングする。
【００６４】
図１１は、図１０によって、オブジェクト画面の入力アイテムをフォーカシングする方法の具現例を示す。図１１に示すように、マークアップ解釈エンジン７２は、フォーカス移動のためのメッセージであって、現在のフォーカシングされた位置情報（ｘ，ｙ）及び方向情報として、現在のフォーカシングされた位置についてのフォーカシングする位置の方向を知らせる。メッセージ形式は、ｆｏｃｕｓ  ｃｈａｎｇｅ  ｍｅｓｓａｇｅ（ｘ，ｙ）＋ｄｉｒｅｃｔｉｏｎである。オブジェクト解釈エンジン７１は、メッセージについて承認または拒否を知らせる。メッセージを承認した場合、オブジェクト解釈エンジン７１は、現在のフォーカシングされた入力アイテムを基準として、メッセージに含まれた方向情報に基づいて選択されたいずれか一つについて存在する次の入力アイテムにフォーカシングする。例えば、ユーザーが上側に移動するための方向キー４５を押せば、現在のフォーカシングされた入力アイテムを基準として、上側に存在する入力アイテムのうち最も近く位置する入力アイテムにフォーカシングを移動させる。上側、左側または右側の区分は、適切に行われる。
【００６５】
このためのフォーカシング転換プログラムのソースコードの一例は、次の通りである。
【００６６】
【表５】
2006507597.tif 000012
2006507597.tif 000013
図１２Ａ、図１２Ｂ、図１２Ｃは、本発明によって、オブジェクト画面が埋め込まれたマークアップ画面で、入力アイテムの間にフォーカスが移動する形態を示す。
【００６７】
図１２Ａに示すように、フォーカスは、マークアップ画面の入力アイテムＭｏｎｇｏｌｉａに存在する。ユーザーがリモコン４００に設けられた下側に移動するための方向キー４７を押せば、図１２Ｂのように、フォーカスは、下側に最も近く位置する入力アイテムｌａｂｅｏｓａｕｒｓに移動する。再びユーザーが左側に移動するための方向キー４６を押せば、図１２Ｃのように、フォーカスは、左側に最も近く位置する入力アイテム
【００６８】
【数３】
2006507597.tif 000014
に移動する。従来のオブジェクト画面の全体について、フォーカスが移動することと異なり、ユーザーが立場で見れば、オブジェクト画面に存在する入力アイテムとマークアップ画面の入力アイテムとを全く区分せず、フォーカスが移動するかのように見られる。
【００６９】
図１３Ａ、図１３Ｂ、図１３Ｃ、図１３Ｄは、本発明の一実施形態によって、オブジェクト画面が埋め込まれたマークアップ画面で、入力アイテムの間にフォーカスの移動順序を示す。
【００７０】
図１３Ａに示すように、プレゼンテーションエンジン１（ユーザー入力コントローラ７４）は、現在のフォーカシングされた入力アイテムが左上側に存在する時、ユーザーが右側方向キー４９または下側方向キー４７を押せば、右側に下方向に検索して次の入力アイテムを探してフォーカシングを移動させる。戻る方向は、別個に決めることができる。
【００７１】
図１３Ｂに示すように、プレゼンテーションエンジン１（ユーザー入力コントローラ７４）は、現在のフォーカシングされた入力アイテムが右下側に存在する時、ユーザーが左側方向キー４６または上側方向キー４５を押せば、左側に上方向に検索して次の入力アイテムを探してフォーカシングを移動させる。同様に、戻る方向は、別個に決めることができる。
【００７２】
図１３Ｃに示すように、プレゼンテーションエンジン１（ユーザー入力コントローラ７４）は、現在のフォーカシングされた入力アイテムが右上側に存在する時、ユーザーが左側方向キー４６または下側方向キー４７を押せば、下方向に各入力アイテムの距離及び指示角度を参照して、次の入力アイテムを探してフォーカシングを移動させる。この際、プレゼンテーションエンジン１（ユーザー入力コントローラ７４）は、以前にフォーカシングされた入力アイテムについての情報を記憶している途中で、ユーザーが上側方向キー４５を押せば、その順番にフォーカスを移動させる。
【００７３】
図１３Ｄに示すように、プレゼンテーションエンジン１（ユーザー入力コントローラ７４）は、現在のフォーカシングされた入力アイテムが右下側に存在する時、ユーザーが上側方向キー４５を押せば、上方向に各入力アイテムの距離及び指示角度を参照して、次の入力アイテムを探してフォーカシングを移動させる。この際、プレゼンテーションエンジン１（ユーザー入力コントローラ７４）は、以前にフォーカシングされた入力アイテムについての情報を記憶している途中で、ユーザーが下側方向キー４７を押せば、その順番にフォーカスを移動させる。
【産業上の利用可能性】
【００７４】
前述した本発明によれば、入力装置に拘らずに、いかなる入力装置を利用しても、オブジェクト画面の入力アイテムについて、マークアップ画面の入力アイテムのように自由にフォーカシングできる。すなわち、プレゼンテーションエンジン１は、マウスやトラックボールのような非ポインティング装置によって、オブジェクト画面の入力アイテムをフォーカシングできる。プレゼンテーションエンジン１に具現された本発明のプロセスは、非ポインティング型のユーザー入力装置に応答して、埋め込まれた画面／イメージを備えるインタラクティブコンテンツをディスプレイし、埋め込まれた画面／イメージを備えるディスプレイされたインタラクティブコンテンツの間のフォーカス移動を管理する、インタラクティブコンテンツ再生装置を制御するソフトウェアで具現される。本発明は、ディスプレイ、非ポインタ型の入力装置、少なくとも一つの入力アイテムを有するマークアップ画面を、前記ディスプレイ上に生成するためのマークアップ文書、及び少なくとも一つの入力アイテムを有する埋め込まれたオブジェクト画面を備える前記マークアップ画面を処理し、前記非ポインタ型の入力装置の入力に対応して、所定の順序によって、前記マークアップ画面の入力アイテムと前記オブジェクト画面の入力アイテムとの間で、入力アイテムのフォーカシングを移動させるプログラムされたコンピュータプロセッサを備えるマークアップ画面ディスプレイシステムを提供する。前記マークアップ画面ディスプレイシステムは、前記マークアップ文書、及び前記マークアップ画面に埋め込まれた前記オブジェクト画面として、ＤＶＤビデオを保存するデジタルビデオディスクをさらに備え、前記ディスプレイは、テレビであり、前記プログラムされたコンピュータプロセッサは、前記ＤＶＤに保存された前記マークアップ文書を処理するＤＶＤプレーヤであり、前記非ポインタ型の入力装置は、ＤＶＤプレーヤのリモートコントロールであり得る。
【図面の簡単な説明】
【００７５】
【図１】従来のフォーカシング方式を説明するための、インタラクティブモードで再生されたインタラクティブＤＶＤのディスプレイ画面の概略図である。
【図２Ａ】従来のフォーカシング方式を説明するための、インタラクティブモードで再生されたインタラクティブＤＶＤのディスプレイ画面の概略図である。
【図２Ｂ】従来のフォーカシング方式を説明するための、インタラクティブモードで再生されたインタラクティブＤＶＤのディスプレイ画面の概略図である。
【図２Ｃ】従来のフォーカシング方式を説明するための、インタラクティブモードで再生されたインタラクティブＤＶＤのディスプレイ画面の概略図である。
【図３】本発明の望ましい実施形態による装置の概要図である。
【図４】本発明によるインタラクティブコンテンツとプレゼンテーションエンジン１とのソフトウェア的な構成図である。
【図５】本発明によるプレゼンテーションエンジン１が搭載された装置が含まれた再生システムの具現例を示す図である。
【図６】リモコン４００の具現例を示す図である。
【図７】本発明の望ましい実施形態によるプレゼンテーションエンジン１のブロック図である。
【図８】本発明の一実施形態によって、オブジェクト画面の入力アイテムのための入力アイテムマップ情報を説明するための参考図である。
【図９】本発明の一実施形態によって、図２のマークアップ画面のための入力アイテムマップ情報を説明するための参考図である。
【図１０Ａ】本発明の他の実施形態によって、オブジェクト画面の入力アイテムをフォーカシングする方法を説明するための参考図である。
【図１０Ｂ】本発明の他の実施形態によって、オブジェクト画面の入力アイテムをフォーカシングする方法を説明するための参考図である。
【図１１】図１０によって、オブジェクト画面の入力アイテムをフォーカシングする方法の具現例を示す図である。
【図１２Ａ】本発明によって、オブジェクト画面が埋め込まれたマークアップ画面で、入力アイテムの間にフォーカスの移動形態を示す参考図である。
【図１２Ｂ】本発明によって、オブジェクト画面が埋め込まれたマークアップ画面で、入力アイテムの間にフォーカスの移動形態を示す参考図である。
【図１２Ｃ】本発明によって、オブジェクト画面が埋め込まれたマークアップ画面で、入力アイテムの間にフォーカスの移動形態を示す参考図である。
【図１３Ａ】本発明の一実施形態によって、オブジェクト画面が埋め込まれたマークアップ画面で、入力アイテムの間にフォーカスの移動順序を示す参考図である。
【図１３Ｂ】本発明の一実施形態によって、オブジェクト画面が埋め込まれたマークアップ画面で、入力アイテムの間にフォーカスの移動順序を示す参考図である。
【図１３Ｃ】本発明の一実施形態によって、オブジェクト画面が埋め込まれたマークアップ画面で、入力アイテムの間にフォーカスの移動順序を示す参考図である。
【図１３Ｄ】本発明の一実施形態によって、オブジェクト画面が埋め込まれたマークアップ画面で、入力アイテムの間にフォーカスの移動順序を示す参考図である。
【図１】
2006507597.tif 000015
【図２Ａ】
2006507597.tif 000016
【図２Ｂ】
2006507597.tif 000017
【図２Ｃ】
2006507597.tif 000018
【図３】
2006507597.tif 000019
【図４】
2006507597.tif 000020
【図５】
2006507597.tif 000021
【図６】
2006507597.tif 000022
【図７】
2006507597.tif 000023
【図８】
2006507597.tif 000024
【図９】
2006507597.tif 000025
2006507597.tif 000026
【図１０Ｂ】
2006507597.tif 000027
【図１１】
2006507597.tif 000028
【図１２Ａ】
2006507597.tif 000029
【図１２Ｂ】
2006507597.tif 000030
【図１２Ｃ】
2006507597.tif 000031
2006507597.tif 000032
【国際調査報告】
2006507597.tif 000033
2006507597.tif 000034